(57)【特許請求の範囲】
【請求項１】
水処理設備の沈砂池或いは着水井に設けられる粉粒体注入装置であって、
駆動手段で回転するシャフトの先端にロータを取り付けると共に、該シャフトの外周を取り囲むようにステータチューブを配置し、
前記ステータチューブに粉粒体と気体の混合流体を吸い込む吸込口を設け、前記ステータチューブに前記ロータの外周を囲むように上下端が開口した筒状体のステータを取り付け、
前記ステータ及び該ロータを水中に配置し、
前記駆動手段で前記シャフトを回転させ前記ロータを回転させることにより前記ステータの上部開口から下部開口に流れる水の旋回流を発生させ、該旋回流により前記吸込口から粉粒体と気体の混合流体を吸込み、該混合流体を水中に注入するように構成した粉粒体注入機構を備え、
前記粉粒体注入機構を支持する支持体に水中で浮力を発生する浮力体と、
前記沈砂池或いは前記着水井に設けた固定架台に固定されたガイドパイプと、
前記ガイドパイプを貫通し、前記支持体を構成している枠体の水平面に垂直に取り付けたポールとを備え、
前記ポールが前記ガイドパイプに案内され上下動することにより、前記支持体が上下動でき、前記浮力体により前記ロータ及び前記ステータを水面下の所定位置に維持するように構成したことを特徴とする粉粒体注入装置。
【請求項２】
請求項１に記載の粉粒体注入装置において、
前記浮力体の前記支持体への上下方向の取り付け位置を調整できる取付位置調整機構を設けたことを特徴とする粉粒体注入装置。
【請求項３】
請求項１又は２に記載の粉粒体注入装置において、
前記粉粒体注入機構及び前記浮力体の少なくとも水中に位置する部分の外周を覆うスクリーンを設けたことを特徴とする粉粒体注入装置。
【請求項４】
粉粒体を貯留する粉粒体貯留槽の下端に、頂部に前記粉粒体貯留槽から切出機で切り出した粉粒体が投入される粉粒体投入口、下端側壁面に空気流入口、壁面に混合体流出口を設けた混合槽を配置し、該混合槽の混合体流出口に接続された移送管を配備し、
前記移送管を通して空気を吸引することにより、前記空気流入口から吸込まれた空気は前記混合槽の底面に沿って流入し、該混合槽内で上下方向に旋回空気流を形成し、前記粉粒体投入口から投入された粉粒体は前記旋回空気流に混合され、該空気と粉粒体の混合体を前記混合体流出口から前記移送管を通して移送するように構成した粉粒体移送装置において、
請求項１乃至３のいずれか１項に記載の粉粒体注入装置を備え、
前記粉粒体注入装置の前記ステータチューブに設けた吸込口に前記移送管の混合体流出口を接続したことを特徴とする粉粒体移送装置。
【請求項５】
請求項４に記載の粉粒体移送装置において、
前記移送管の前記吸込口に接続した前記混合体流出口が少なくとも所定の範囲を前記粉粒体注入装置の粉粒体注入機構の上下動に追従できる構成としたことを特徴とする粉粒体移送装置。
【請求項６】
請求項４又は５に記載の粉粒体移送装置において、
前記空気流入口及び前記混合体流出口に断面積の小さい収縮部を設けたことを特徴とする粉粒体移送装置。
【請求項７】
請求項４乃至６のいずれか１項に記載の粉粒体移送装置において、
前記混合槽には複数個の混合体流出口が設けられ、該複数の混合体流出口のそれぞれに移送管を接続したことを特徴とする粉粒体移送装置。
【請求項８】
粉粒体を所定の場所から所定の場所へ移送する粉粒体移送装置を備えた水処理設備において、
前記粉粒体移送装置に請求項４乃至７のいずれか１項に記載の粉粒体移送装置を用いることを特徴とする水処理設備。
【発明の詳細な説明】
【技術分野】
【０００１】
本発明は、水処理設備の沈砂池或いは着水井等の水中に活性炭（ドライ炭）や消石灰等の粉粒体を注入する粉粒体注入装置、これら粉粒体を沈砂池或いは着水井等に配置された粉粒体注入装置まで移送する粉粒体移送装置、該粉粒体注入装置や粉粒体移送装置を備えた水処理設備に関するものである。
【背景技術】
【０００２】
図１は水処理設備の構成例を示す図である。水処理設備は取水施設１０２を備え、該取水施設１０２で取水された水は着水井１０３に流入する。該着水井１０３には図３に示すような構成の粉粒状の活性炭を注入する粉粒体注入機構１０４が設けられており、該粉粒体注入機構１０４により、粉粒体移送機構１０１からの粉粒状の活性炭と空気の混合体を吸込んで水中に該混合体を注入することにより、活性炭を水中に注入する。活性炭の注入された水は混和池１０５に流入し、該混和池１０５からフロック形成池１０６、薬品沈殿池１０７、急速濾過池１０８、浄水池１０９、配水池１１０を通って処理水１１１となって配水される。
【０００３】
図２は粉粒体移送機構１０１の概略構成例を示す図である。粉粒体移送機構１０１は図示するように、粉粒体貯留槽１２１の下部に混合槽１２２を配置している。混合槽１２２は下端側壁に空気流入口１２３、壁面に複数個（図では２個）の混合体流出口１２４、１２５が設けられている。空気流入口１２３には空気管１２６が接続され、混合体流出口１２４、１２５にはそれぞれ移送管１２７、１２７が接続されている。粉粒体貯留槽１２１と混合槽１２２の間には粉粒体切出機１２９が配置されている。また、空気流入口１２３、混合体流出口１２４、１２５にはそれぞれ断面積を小さくした収縮部１２３ａ、１２４ａ、１２５ａが設けられている。
【０００４】
混合槽１２２内に空気管１２６を通して空気Ａが空気流入口１２３から吸引方式で流入する。該空気は混合槽１２２内で矢印Ｂに示すように渦巻状に旋回する。即ち、矢印Ｂに示すように空気流入口１２３から流入した空気Ａは、混合槽１２２の底面に沿って移動しながら上昇し天井面で反転し、反対側内壁面に沿って下降するように移動し混合槽１２２内で上下方向に旋回空気流を形成して旋回する。一方、粉粒体貯留槽１２１から粉粒体切出機１２９で切出された粉粒体Ｃは混合槽１２２の頂部から流入し、該混合槽１２２内で空気Ａと混合し、混合体流出口１２４、１２５から移送管１２７、１２７内に流出する。
【０００５】
混合槽１２２の空気流入口１２３には上記のように収縮部１２３ａが設けられており、空気管１２６内の空気Ａの流速（例えば１０ｍ／ｓ)は該収縮部１２３ａを通ることにより、速められ（例えば２０〜３０ｍ／ｓ）、噴流となって混合槽１２２内に流入するから、混合槽１２２内では空気と粉粒体Ｃは均一に混合される。また、混合体流出口１２４、１２５にもそれぞれ収縮部１２４ａ、１２５ａが設けられており、空気Ａと粉粒体Ｃの混合体Ｄは該収縮部１２４ａ、１２５ａから流速の速い（例えば２０〜３０ｍ／ｓ）の噴流となって移送管１２７、１２７内に排出される。
【０００６】
図３は粉粒体注入機構１０４の構成例を示す図である。粉粒体注入機構１０４は図示するように、駆動手段としてのモータＭを具備し、該モータＭにより回転するシャフト１３１の先端にロータ１３２が取り付けられ、該シャフト１３１の外周を取り囲むようにステータチューブ１３３が配置されている。該ステータチューブ１３３にはロータ１３２の外周を囲むように配置するステータ１３４が取り付けられている。ステータ１３４は上下端部が開口した円筒状で上端開口面積が下端開口面積より大きくなっている。ステータチューブ１３３には吸込口１３５が設けられ、該吸込口１３５に粉粒体移送機構１０１の移送管１２７の先端、即ち混合体流出口が接続されている。また、ステータ１３４の下端外周にはカバーリング１３６が設けられている。
【０００７】
粉粒体注入機構１０４のモータＭを起動することにより、ロータ１３２が回転し、水がステータ１３４の上部開口から矢印Ｅに示すように流れ込み、その下端から矢印Ｆに示すように流出してステータ１３４の周り旋回流を形成する。これによりステータチューブ１３３を通って移送管１２７内に空気吸引力が作用する。この状態で図４のバルブ１３７、１３８を開くと、空気管１２６を通って混合槽１２２内に空気が流入すると共に、該空気と粉粒体貯留槽１２１から粉粒体切出機１２９で切出されたドライ活性炭が混合され、移送管１２７を通って粉粒体注入機構１０４のステータチューブ１３３に送られ、その先端から水中に注入される。なお、図４は粉粒体を粉粒体移送機構１０１から着水井に配置された粉粒体注入機構１０４まで移送するための粉粒体移送装置の構成を示す。
【特許文献１】特許第３４２０１４０号公報
【発明の開示】
【発明が解決しようとする課題】
【０００８】
図３に示す粉粒体注入機構１０４において、例えば粉粒状の活性炭を水中に適正に注入するためにはロータ１３２を水面下の適正な位置、即ち水深に位置させる必要がある。一般的には水深１ｍが適正な水深である。ところが図５に示すように、河川１４０から取水する取水施設の沈砂池１４１においては、河川１４０の水位ＷＬが高水位ＨＷＬ〜低水位ＬＷＬと大きな水位範囲Ｌ1で変動する。そのため粉粒体注入機構１０４をこのように水位が変動する沈砂池１４１に定置式で設置した場合、ロータ１３２の位置が活性炭の注入に適性な水深範囲Ｌ2を逸脱してしまうという問題がある。即ち、高水位ＨＷＬではロータ１３２の水深位置が大きすぎ粉粒状の活性炭を注入するのに不適切となり、低水位ＬＷＬではロータ１３２が水面より上に位置し、水の旋回流を発生させることができない。なお、沈砂池１４１の水はポンプ１４２により配管１４３を通して水処理設備の他の池に送られる。
【０００９】
本発明は上述の点に鑑みてなされたもので、粉粒体注入機構を設置する池の水位が変動してもロータを粉粒体を注入するのに適正な水深に維持でき、効率よく粉粒体の注入ができる粉粒体注入機構を備えた粉粒体注入装置、該粉粒体注入装置を利用した粉粒体移送装置、及びこの粉粒体移送装置を備えた水処理設備を提供することを目的とする。
【課題を解決するための手段】
【００１０】
上記課題を解決するため請求項１に記載の発明は、水処理設備の沈砂池或いは着水井に設けられる粉粒体注入装置であって、駆動手段で回転するシャフトの先端にロータを取り付けると共に、該シャフトの外周を取り囲むようにステータチューブを配置し、前記ステータチューブに粉粒体と気体の混合流体を吸い込む吸込口を設け、前記ステータチューブに前記ロータの外周を囲むように上下端が開口した筒状体のステータを取り付け、前記ステータ及び該ロータを水中に配置し、前記駆動手段で前記シャフトを回転させ前記ロータを回転させることにより前記ステータの上部開口から下部開口に流れる水の旋回流を発生させ、該旋回流により前記吸込口から粉粒体と気体の混合流体を吸込み、該混合流体を水中に注入するように構成した粉粒体注入機構を備え、前記粉粒体注入機構を支持する支持体に水中で浮力を発生する浮力体と、前記沈砂池或いは前記着水井に設けた固定架台に固定されたガイドパイプと、
前記ガイドパイプを貫通し、前記支持体を構成している枠体の水平面に垂直に取り付けたポールとを備え、前記ポールが前記ガイドパイプに案内され上下動することにより、前記支持体が上下動でき、前記浮力体により前記ロータ及び前記ステータを水面下の所定位置に維持するように構成したことを特徴とする。
【００１１】
請求項２に記載の発明は、請求項１に記載の粉粒体注入装置において、前記浮力体の前記支持体への上下方向の取り付け位置を調整できる取付位置調整機構を設けたことを特徴とする。
【００１２】
請求項３に記載の発明は、請求項１又は２に記載の粉粒体注入装置において、前記粉粒体注入機構及び前記浮力体の少なくとも水中に位置する部分の外周を覆うスクリーンを設けたことを特徴とする。
【００１３】
請求項４に記載の発明は、粉粒体を貯留する粉粒体貯留槽の下端に、頂部に該粉粒体貯留槽から切出機で切り出した粉粒体が投入される粉粒体投入口、下端側壁面に空気流入口、壁面に混合体流出口を設けた混合槽を配備し、該混合槽の混合体流出口に接続された移送管を配備し、前記移送管を通して空気を吸引することにより、前記空気流入口から吸込まれた空気は前記混合槽の底面に沿って流入し、該混合槽内で上下方向に旋回空気流を形成し、前記粉粒体投入口から投入された粉粒体は前記旋回空気流に混合され、該空気と粉粒体の混合体を前記混合体流出口から前記移送管を通して移送するように構成した粉粒体移送装置において、請求項１乃至３のいずれか１項に記載の粉粒体注入装置を備え、該粉粒体注入装置の前記ステータチューブに設けた吸込口に前記移送管の混合体流出口を接続したことを特徴とする。
【００１４】
請求項５に記載の発明は、請求項４に記載の粉粒体移送装置において、前記移送管の前記吸込口に接続した前記混合体流出口が少なくとも所定の範囲を前記粉粒体注入装置の粉粒体注入機構の上下動に追従できる構成としたことを特徴とする。
【００１５】
請求項６に記載の発明は、請求項４又は５に記載の粉粒体移送装置において、前記空気流入口及び前記混合体流出口に断面積の小さい収縮部を設けたことを特徴とする。
【００１６】
請求項７に記載の発明は、請求項４乃至６のいずれか１項に記載の粉粒体移送装置において、前記混合槽には複数個の混合体流出口が設けられ、該複数の混合体流出口のそれぞれに移送管を接続したことを特徴とする。
【００１７】
請求項８に記載の発明は、粉粒体を所定の場所から所定の場所へ移送する粉粒体移送装置を備えた水処理設備において、前記粉粒体移送装置に請求項４乃至７のいずれか１項に記載の粉粒体移送装置を用いることを特徴とする。
【発明の効果】
【００１８】
請求項１に記載の発明によれば、粉粒体注入機構を支持する支持体に水中で浮力を発生する浮力体と、沈砂池或いは着水井に設けた固定架台に固定されたガイドパイプと、ガイドパイプを貫通し、支持体を構成している枠体の水平面に垂直に取り付けたポールとを備え、ポールがガイドパイプに案内され上下動することにより、支持体が上下動でき、浮力体によりロータ及びステータを水面下の所定位置に維持するように構成したので、粉粒体注入機構のステータ及びロータの水面からの距離を沈砂池或いは着水井の水位の変動に関わらず常に一定にできると共に、粉粒体注入機構を支持する支持体の位置を固定架台と該固定架台に固定されたガイドパイプと該ガイドパイプを貫通するポールにより平面的にみて定位置に確保でき、沈砂池或いは着水井の水位が変動しても粉粒体注入機構のステータ及びロータを水中に粉粒体を注入する最適な平面位置及び水深位置に維持でき、効率のよい粉粒体の水中への注入が実現できる。
【００１９】
請求項２に記載の発明によれば、浮力体の枠体への取り付け位置を調整できる取付位置調整機構を設けたので、ロータ及びステータの水深を粉粒体の注入に最適な位置に調整することができる。
【００２０】
請求項３に記載の発明によれば、粉粒体注入機構及び浮力体の少なくとも水中に位置する部分の外周を覆うようにスクリーンを設けたので、この部分に異物が侵入することを防止できる。
【００２１】
請求項４に記載の発明によれば、請求項１乃至３のいずれか１項に記載の粉粒体注入装置を備え、該粉粒体注入装置のステータチューブの吸込口に、粉粒体移送装置の移送管の混合体流出口を接続したので、水位の変動があっても、粉粒体注入に適正な水深に位置するロータの回転により、ステータの上端開口から下端開口に流れ旋回流が発生し、この旋回流による適正な吸引力が移送管に作用するから、粉粒体貯留槽から切出された粉粒体は混合槽内で空気と均一に混合され、粉粒体の目詰まりを発生させることなく、移送管を通ってスムーズに粉粒体注入装置まで移送され、水中に注入される。
【００２２】
請求項５に記載の発明によれば、移送管の吸込口に接続した混合体流出口から少なくとも所定の範囲を粉粒体注入装置の粉粒体注入機構の上下動に追従できる構成としたので、移送管に無理な力が加わることない。
【００２３】
請求項６に記載の発明によれば、空気流入口及び混合体流出口に断面積の小さい収縮部を設けたので、混合槽内に流入する空気の流速を速めることができ、混合槽内に流速の速い旋回流が発生し、混合槽内に流入した粉粒体は空気と均一に混合し、混合体は混合体流出口の収縮部を通って高速で粉粒体移送管内に噴出されるから、粉粒体を目詰まりさせることなく粉粒体注入装置まで移送し、水中に注入することができる。しかもこの効果は粉粒体注入機構の吸引力が水位の変動に左右されることなく、一定であるので水位の変動に関係なく実現される。
【００２４】
請求項７に記載の発明によれば、混合槽には複数個の混合体流出口が設けられ、該複数の混合体流出口のそれぞれに移送管を接続したので、一度に複数の粉粒体注入装置に粉粒体を移送することができる。
【００２５】
請求項８に記載の発明によれば、水処理設備の粉粒体移送装置に請求項４乃至７のいずれか１項に記載の粉粒体移送装置を用いるので、効率よく活性炭、消石灰等の粉粒体を所定の場所に設置した粉粒体注入装置に移送し、水中に注入させることができる。
【発明を実施するための最良の形態】
【００２６】
以下、本発明の実施の形態例を図面に基いて説明する。図６乃至び図８は本発明に係る粉粒体注入装置の構成例を示す図であり、図６は粉粒体注入装置の全体を示す正面図、図７は図６のＡ−Ａ平断面図、図８は図６のＢ−Ｂ断面図である。本粉粒体注入装置は粉粒体注入機構１０４を具備する。この粉粒体注入機構１０４は、駆動手段としてのモータＭ、該モータＭにより回転するシャフト１３１、該シャフト１３１の先端に取り付けたロータ１３２、該シャフト１３１の外周を取り囲むよう配置されたステータチューブ１３３、ロータ１３２の外周を囲むように取り付けたステータ１３４を備える点、及びステータチューブ１３３には吸込口１３５が設けられ、該吸込口１３５に粉粒体移送機構の移送管１２７の混合体流出口が接続されている点は、図３に示す粉粒体注入機構１０４と略同一構成であるのでその説明は省略する。
【００２７】
粉粒体注入機構１０４は可動架台１５０に取り付けられている。該可動架台１５０は平面矩形状の上部に位置する枠体１５１、中間に位置する枠体１５２、下部に位置する枠体１５３を具備し、該３個の枠体１５１、１５２、１５３はそれぞれの四隅を４本のアングル部材で互いに並行に配置し、一体化的に結合している。また、可動架台１５０の四隅にはブラケット１５５を介して４本の円柱状のポール１５６が各枠体１５１、１５２、１５３の水平面に垂直に取り付けられている。該４本のポール１５６はそれぞれガイドパイプ１５７を貫通しており、該４個のガイドパイプ１５７を貫通するポール１５６が該ガイドパイプ１５７に案内され上下動することにより、可動架台１５０が上下動できるようになっている。４個のガイドパイプ１５７はそれぞれ粉粒体注入装置が設置される池の所定位置に設置された固定架台１５９に固定されている。
【００２８】
可動架台１５０の中間に位置する枠体１５２の各辺の中央部か外側に延伸して浮上体取付用ブラケット１５８が取り付けられている。また、下部に位置する枠体１５３の各辺の中央部にもＬ字状の浮上体取付用ブラケット１７１が垂直下方に延伸し更に外側に延伸して取付けられている。可動架台１５０の枠体１５２と枠体１５２の各辺に取り付けられた浮上体取付用ブラケット１５８と浮上体取付用ブラケット１７１の間には、それぞれ浮上体１６０が取り付けられ、粉粒体注入機構１０４が取り付けられた可動架台１５０がこの４個の浮上体１６０で浮上支持されるようになっている。
【００２９】
各浮上体１６０は図９に示すように、水中で浮力を発生する（比重が１より小さい）円柱又は円筒状の浮上体本体１６１を有し、該浮上体本体１６１の中心部に例えばＳＵＳ製のパイプ１６３が貫通し、該パイプ１６３の両端には円板状の押え板１６４、１６５を取り付けた構成である。各浮上体１６０のパイプ１６３内にボルト１６２を貫通させ、該ボルト１６２の両端を浮上体取付用ブラケット１５８と浮上体取付用ブラケット１７１にナット１６６、１６７で固定する。浮上体１６０のボルト１６２の取り付け位置はナット１６８で浮上体１６０の底部を設定し、該浮上体１６０の上部をダブルナット１６９で締め付け固定することにより、各浮上体１６０をボルト１６２の所定位置に取り付けるようになっている。即ち各浮上体１６０はナット１６８とダブルナット１６９でその取付け位置を調整することにより、浮上体取付用ブラケット１５８と浮上体取付用ブラケット１７１の間の間隔Ｌの所定位置に調整して取り付けることができるようになっている。
【００３０】
上記のように粉粒体注入機構１０４を可動架台１５０に取り付け、該可動架台１５０を４個の浮上体１６０で支持することにより、粉粒体注入機構１０４は本粉粒体注入装置が設置される池（例えば沈砂池、着水井等）の水位ＷＬの変動に応じて、粉粒体注入機構がそれに応じて上下動するから、ロータ１３２やステータ１３４を水面下の所定の位置（所定の水深）、即ち粉粒体を効率よく移送できる吸引力で、且つ効率よく水中に注入できる水深位置に維持することができる。また、粉粒体注入機構１０４のロータ１３２の位置は水深０．３〜２．０ｍが適切であり、好ましくは０．７ｍ〜１．５ｍが適切である。０．３ｍより浅ければ粉粒体の吸い込みが悪くなり、２．０ｍより深ければ粉粒体の吸い込みのための動力が大きくなるからである。ここでは図９に示すように、ナット１６８、ダブルナット１６９で浮上体１６０の取付け位置を浮上体取付用ブラケット１５８と浮上体取付用ブラケット１７１の間隔Ｌの所定位置に設定することにより、ロータ１３２の位置を水深０．３〜２．０ｍになるように調整することは容易にできる。
【００３１】
また、本粉粒体注入装置の粉粒体注入機構１０４を池の水位ＷＬの変動により、上下動するので、粉粒体注入機構１０４の吸込口１３５に接続する移送管１２７は、少なくとも接続部（混合体流出口）から所定の範囲、例えば図６の吸込口１３５から固定の移送管１２７の端部が接続されている継ぎ手１２８までを、粉粒体注入機構１０４の上下動に追従できる構成、例えばフレキシブル管で構成する。
【００３２】
また、ロータ１３２の回転により旋回流が発生し、この旋回流により池内の異物が可動架台１５０内やステータ１３４等に侵入し、例えばロータ１３２等を破損させるおそれがある。この異物の浸入を防ぐため、図１０に示すように可動架台１５０や浮上体１６０の水中にある部分を覆うように、スクリーン１７０を設けるとよい。なお、該スクリーンは可動架台１５０の上下動によって上下動するように可動架台１５０を構成する部材、例えば１５１、１５２、１５３に直接、又は部材を介して間接的に取り付けるとよい。
【００３３】
図６乃至図１０に示す構成の粉粒体注入装置を図４に示す構成の粉粒体移送装置の着水井１０３に設置し、その吸込口１３５に移送管１２７を接続すると、粉粒体注入機構１０４のロータ１３２やステータ１３４は水位が変動しても、適正な水深に位置するから、活性炭等の粉粒体を効率よく水中に注入できると共に、水位の変動にもかかわらず常に適正な吸引力を発生するから、粉粒体と空気の混合体を移送管１２７を通してスムーズに着水井１０３の粉粒体注入装置に移送できる。
【００３４】
図２に示すように、粉粒体移送機構１０１の混合槽１２２に複数個の混合体流出口が設けられ、各混合体流出口に移送管１２７が接続された粉粒体移送機構１０１において、複数の例えば沈砂池に設置された、図６乃至図１０に示す構成の粉粒体注入装置の粉粒体注入機構１０４の吸込口１３５に移送管１２７を接続することにより、同時に複数の沈砂池に設置された粉粒体注入装置に水位の変動に関係なく略一定の吸引力で活性炭等の粉粒体と空気の混合体を移送でき、効率よく水中に該粉粒体を注入できる。
【００３５】
以上、本発明の実施形態を説明したが、本発明は上記実施形態に限定されるものではなく、特許請求の範囲、及び明細書と図面に記載された技術的思想の範囲内において種々の変形が可能である。例えば、上記例では沈砂池や着水井に本発明に係る粉粒体注入装置を設置する例を示したが、これに限定されるものではなく、水中又は液中に粉粒体を注入する場所に遠隔場所から粉粒体を移送し、水中に注入する場合に本発明に係る粉粒体注入装置を設置し、粉粒体を送り出す場所に図２に示すような粉粒体移送機構１０１を設置することにより、粉粒体を効率よく移送し、水中に注入することができる。
【図面の簡単な説明】
【００３６】
【図１】水処理設備の構成例を示す図である。
【図２】従来の粉粒体移送機構の概略構成例を示す図である。
【図３】従来の粉粒体注入装置の概略構成例を示す図である。
【図４】従来の粉粒体移送機構の概略構成例を示す図である。
【図５】取水施設の河川水位と沈砂池の水位の変動例を示す図である。
【図６】本発明に係る粉粒体注入機構の概略構成例を示す正面図である。
【図７】図６のＡ−Ａ断面図である。
【図８】図６のＢ−Ｂ断面図である。
【図９】本発明に係る粉粒体注入機構の浮上体の取り付け状態を示す図である。
【図１０】本発明に係る粉粒体注入機構の概略構成例を示す正面図である。
【符号の説明】
【００３７】
１０１      粉粒体移送機構
１０２      取水施設
１０３      着水井
１０４      粉粒体注入機構
１０５      混和池
１０６      フロック形成池
１０７      薬品沈殿池
１０８      急速濾過池
１０９      浄水池
１１０      配水池
１１１      処理水
１２１      粉粒体貯留槽
１２２      混合槽
１２３      空気流入口
１２４      混合体流出口
１２５      混合体流出口
１２６      空気管
１２７      移送管
１２８      継ぎ手
１３１      シャフト
１３２      ロータ
１３３      ステータチューブ
１３４      ステータ
１３５      吸込口
１３６      カバーリング
１３７      バルブ
１３８      バルブ
１４０      河川
１４１      沈砂池
１４２      ポンプ
１４３      配管
１５０      可動架台
１５１      枠体
１５２      枠体
１５３      枠体
１５４      アングル部材
１５５      ブラケット
１５６      ポール
１５７      ガイドパイプ
１５８      浮上体取付用ブラケット
１５９      固定架台
１６０      浮上体
１６１      浮上体本体
１６２      ボルト
１６３      パイプ
１６４      押え板
１６５      押え板
１６６      ナット
１６７      ナット
１６８      ナット
１６９      ダブルナット
１７０      スクリーン
１７１      浮上体取付用ブラケット
【図１】
0004728749.tif 000002
【図２】
0004728749.tif 000003
【図３】
0004728749.tif 000004
【図４】
0004728749.tif 000005
【図５】
0004728749.tif 000006
【図６】
0004728749.tif 000007
【図７】
0004728749.tif 000008
【図８】
0004728749.tif 000009
【図９】
0004728749.tif 000010
【図１０】
0004728749.tif 000011